(57)【要約】【課題】  残留電荷の影響による発光輝度変化を信号処理によって補償することで、初期化期間を設けることをしなくても最適な階調で画像情報を表示可能な無機ＥＬパネル用映像信号処理装置を提供する。【解決手段】  無機ＥＬパネル用映像信号処理装置は、遅延回路と、映像信号補正回路とを有する。遅延回路は、現在のフレーム映像信号を入力し、現在のフレーム映像信号よりも１フレーム前のフレーム映像信号を出力する。映像信号補正回路は、現在のフレーム映像信号と１フレーム前のフレーム映像信号とを入力し、現在のフレーム映像信号に対して、１フレーム前のフレーム映像信号に応じたヒステリシス特性による発光輝度変化量を補償して出力映像信号を生成して出力する。【選択図】図１
2007212829.tif 000002
【特許請求の範囲】
【請求項１】
現在のフレーム映像信号を入力し、その現在のフレーム映像信号より１フレーム前のフレーム映像信号を出力する遅延回路と、
前記現在のフレーム映像信号と前記１フレーム前のフレーム映像信号とを入力し、前記現在のフレーム映像信号に対して、前記１フレーム前のフレーム映像信号に応じたヒステリシス特性による発光輝度変化量を補償して出力映像信号を生成して出力する映像信号補正回路とを備えたことを特徴とする無機ＥＬパネル用映像信号処理装置。
【請求項２】
前記映像信号補正回路は、
前記１フレーム前のフレーム映像信号に応じたヒステリシス特性による補償すべき発光輝度変化量を演算し、演算した発光輝度変化量に対応する補償信号を出力する残留電荷補償量演算回路と、
前記補償信号と現在のフレーム映像信号とを入力し、現在のフレーム映像信号に対して、前記補償信号に対応する発光輝度変化量を補償して出力映像信号を生成して出力する残留電荷補償回路とを備えたことを特徴とする請求項１記載の無機ＥＬパネル用映像信号処理装置。
【請求項３】
前記映像信号補正回路は、前記１フレーム前のフレーム映像信号に依存して残留電荷が蓄積される無機ＥＬパネル発光輝度変化量を補償することを特徴とする請求項１又は２記載の無機ＥＬパネル用映像信号処理装置。
【請求項４】
現在のフレーム映像信号を入力し、その現在のフレーム映像信号よりも１フレーム前のフレーム映像信号と２フレーム前のフレーム映像信号とを出力する遅延回路と、
前記現在のフレーム映像信号と前記１フレーム前のフレーム映像信号と前記２フレーム前のフレーム映像信号とを入力し、前記現在のフレーム映像信号に対して、前記１フレーム前のフレーム映像信号と前記２フレーム前のフレーム映像信号とに応じたヒステリシス特性による発光輝度変化量を補償して出力映像信号を生成して出力する映像信号補正回路とを備えたことを特徴とする無機ＥＬパネル用映像信号処理装置。
【請求項５】
前記映像信号補正回路は、
前記１フレーム前のフレーム映像信号と前記２フレーム前のフレーム映像信号とに応じたヒステリシス特性による発光輝度変化量を演算し、演算した発光輝度変化量に対応する補償信号を出力する残留電荷補償量演算回路と、
前記補償信号と現在のフレーム映像信号とを入力し、現在のフレーム映像信号に対して、前記補償信号に対応する発光輝度変化量を補償して出力映像信号を生成して出力する残留電荷補償回路とを備えたことを特徴とする請求項４記載の無機ＥＬパネル用映像信号処理装置。
【請求項６】
前記映像信号補正回路は、前記１フレーム前のフレーム映像信号と前記２フレーム前のフレーム映像信号とに依存して残留電荷が蓄積される無機ＥＬパネルの発光輝度変化量を補償することを特徴とする請求項４又は５記載の無機ＥＬパネル用映像信号処理装置。
【請求項７】
前記映像信号補正回路は、パルス電圧振幅波形制御方式で階調制御を行う無機ＥＬパネルの発光輝度変化量を補償することを特徴とする請求項１乃至６のいずれか１つの請求項記載の無機ＥＬパネル用映像信号処理装置。
【請求項８】
前記映像信号補正回路は、パルス幅変調方式で階調制御を行う無機ＥＬパネルの発光輝度変化量を補償することを特徴とする請求項１乃至６のいずれか１つの請求項記載の無機ＥＬパネル用映像信号処理装置。
【発明の詳細な説明】
【技術分野】
【０００１】
本発明は、映像信号処理装置に関する。特に、本発明は、無機ＥＬ（エレクトロ・ルミネッセンス）素子の制御においてヒステリシス特性に基づく影響を補償する無機ＥＬパネル用映像信号処理装置に関する。
【背景技術】
【０００２】
近年、電圧により発光する発光体を利用したＥＬ（エレクトロ・ルミネッセンス）ディスプレイが普及しつつある。ＥＬディスプレイは、発光体をガラス基板に蒸着し、基板に印加する電圧を制御することによって画像を表示する。このようなＥＬディスプレイは、低電力で高い輝度が得られ、長寿命化及び薄型化に適している。発光体として利用される無機ＥＬ素子は、強誘電体特有の残留電荷に由来するヒステリシス特性を有するため、ある所定の駆動電圧を印加した場合でも発光輝度が異なることがある。特許文献１は、直前の発光パルスと逆極性の、所定の振幅と幅を有する消去パルスをＥＬ層に印加して残留電荷を消去することによって、駆動電圧に対する発光輝度を一意に決定するものであった。
【０００３】
【特許文献１】特開昭５６−９１２９３号公報。
【発明の開示】
【発明が解決しようとする課題】
【０００４】
しかしながら、上記従来の技術では残留電荷を消去するための初期化期間を必要とするため、ディスプレイ上に画像情報を表示するまでに時間が掛かり、高速表示が困難であるという問題があった。また、上記従来の技術では、初期化に要する期間の分、発光可能期間が減少するという問題があった。
【０００５】
本発明の目的は上記問題を解決し、残留電荷の影響による発光輝度変化量を信号処理によって補償することで、初期化期間を設けることをしなくても最適な階調で画像情報を表示可能な無機ＥＬパネル用映像信号処理装置を提供することにある。
【課題を解決するための手段】
【０００６】
第１の発明に係る無機ＥＬパネル用映像信号処理装置は、現在のフレーム映像信号を入力し、その現在のフレーム映像信号よりも１フレーム前のフレーム映像信号を出力する遅延回路と、前記現在のフレーム映像信号と前記１フレーム前のフレーム映像信号とを入力し、前記現在のフレーム映像信号に対して、前記１フレーム前のフレーム映像信号に応じたヒステリシス特性による発光輝度変化量を補償して出力映像信号を生成して出力する映像信号補正回路とを備えたことを特徴とする。
【０００７】
上記無機ＥＬパネル用映像信号処理装置において、前記映像信号補正回路は、前記１フレーム前のフレーム映像信号に応じたヒステリシス特性による補償すべき発光輝度変化量を演算し、演算した発光輝度変化量に対応する補償信号を出力する残留電荷補償量演算回路と、前記補償信号と現在のフレーム映像信号とを入力し、現在のフレーム映像信号に対して、前記補償信号に対応する発光輝度変化量を補償して出力映像信号を生成して出力する残留電荷補償回路とを備えたことを特徴とする。
【０００８】
また、上記無機ＥＬパネル用映像信号処理装置において、前記映像信号補正回路は、前記１フレーム前のフレーム映像信号に依存して残留電荷が蓄積される無機ＥＬパネルの発光輝度変化量を補償することを特徴とする。
【０００９】
第２の発明に係る無機ＥＬパネル用映像信号処理装置は、現在のフレーム映像信号を入力し、その現在のフレーム映像信号よりも１フレーム前のフレーム映像信号と２フレーム前のフレーム映像信号とを出力する遅延回路と、前記現在のフレーム映像信号と前記１フレーム前のフレーム映像信号と前記２フレーム前のフレーム映像信号とを入力し、前記現在のフレーム映像信号に対して、前記１フレーム前のフレーム映像信号と前記２フレーム前のフレーム映像信号とに応じたヒステリシス特性による発光輝度変化量を補償して出力映像信号を生成して出力する映像信号補正回路とを備えたことを特徴とする。
【００１０】
上記無機ＥＬパネル用映像信号処理装置において、前記映像信号補正回路は、前記１フレーム前のフレーム映像信号と前記２フレーム前のフレーム映像信号とに応じたヒステリシス特性による発光輝度変化量を演算し、演算した発光輝度変化量に対応する補償信号を出力する残留電荷補償量演算回路と、前記補償信号と現在のフレーム映像信号とを入力し、現在のフレーム映像信号に対して、前記補償信号に対応する発光輝度変化量を補償して出力映像信号を生成して出力する残留電荷補償回路とを備えたことを特徴とする。
【００１１】
また、上記無機ＥＬパネル用映像信号処理装置において、前記映像信号補正回路は、前記１フレーム前のフレーム映像信号と前記２フレーム前のフレーム映像信号とに依存して残留電荷が蓄積される無機ＥＬパネルの発光輝度変化量を補償することを特徴とする請求項４又は５記載の無機ＥＬパネル用映像信号処理装置。
【００１２】
さらに、上記無機ＥＬパネル用映像信号処理装置において、前記映像信号補正回路は、パルス電圧振幅波形制御方式で階調制御を行う無機ＥＬパネルの発光輝度変化量を補償することを特徴とする。
【００１３】
またさらに、上記無機ＥＬパネル用映像信号処理装置において、前記映像信号補正回路は、パルス幅変調方式で階調制御を行う無機ＥＬパネルの発光輝度変化量を補償することを特徴とする。
【発明の効果】
【００１４】
本発明に係る無機ＥＬパネル用映像信号処理装置によれば、残留電荷の影響による発光輝度変化を信号処理によって補償することにより、初期化期間を設けることをしなくても最適な階調で映像の視聴を可能とする無機ＥＬパネル用映像信号処理装置を実現することができる。
【発明を実施するための最良の形態】
【００１５】
以下、本発明に係る実施形態について図面を参照して説明する。なお、以下の各実施形態において、同様の構成要素については同一の符号を付している。
【００１６】
＜＜実施形態１＞＞
図１は、本発明の実施形態１における無機ＥＬパネルに用いられる映像信号処理装置１の構成を示すブロック図である。図１において、映像信号処理装置１は、映像信号補正回路２及び遅延回路５を有する。映像信号処理装置１は、入力端側から表示すべき１フレーム毎の映像信号（以下、フレーム映像信号という。）を入力して、入力したフレーム映像信号に対して補正を行った後、出力映像信号として出力端側から例えばディスプレイパネル上に表示するために出力する。
【００１７】
遅延回路５は、入力した信号を所定時間経過後に出力する。即ち、遅延回路５は、現在のフレーム映像信号ＰＳＣを入力して、それよりも１フレーム前のタイミングで入力されたフレーム映像信号である、１フレーム前のフレーム映像信号ＰＳＣ−１を出力する。なお、遅延回路５の出力は電圧のみならず電流であっても良い。
【００１８】
映像信号補正回路２は、現在のフレーム映像信号ＰＳＣと遅延回路５から出力される１フレーム前のフレーム映像信号ＰＳＣ−１とを入力し、現在のフレーム映像信号ＰＳＣに対して、その１フレーム前のフレーム映像信号ＰＳＣ−１に応じたヒステリシス特性による発光輝度変化量を補償する映像信号補正を行って、出力映像信号ＰＳＯＵＴを生成して出力する。映像信号補正回路２は、上記映像信号補正によって、１フレーム前のフレーム映像信号ＰＳＣ−１に依存して蓄積された残留電荷の影響を低減できる。
【００１９】
なお、本実施形態において、無機ＥＬ素子に印加される電圧の印加時間は、残留電荷の蓄積時間に対して十分長いものとする。
【００２０】
図２は、本実施形態における映像信号処理装置１をパルス電圧振幅波形制御方式で階調制御を行う無機ＥＬパネルに用いた場合の駆動電圧波形を示す図である。図２において、無補正時の無機ＥＬ素子に印加される無補正時駆動電圧、補正時の無機ＥＬ素子に印加される補正時駆動電圧、無補正時の無機ＥＬ素子から出力される無補正時発光量、補正時の無機ＥＬ素子から出力される補正時発光量がそれぞれ示されている。
【００２１】
図２によると、無補正時の駆動電圧は、安定した発光量を得たい期間において、１フレーム前のフレーム映像信号ＰＳＣ−１に拘わらず、一定の振幅で印加される。しかし、残留電荷の影響のため、無補正時の発光量にはばらつきがあり、一定ではない。発光量のばらつきは、ディスプレイパネルを視る者にとってはちらつきとして捉えられ、快適な視聴環境を妨げる要因となる。
【００２２】
一方、本実施形態における映像信号処理装置１を用いて現在のフレーム映像信号を補正した場合は、安定した発光量を得たい期間において、１フレーム前のフレーム映像信号ＰＳＣ−１に応じてヒステリシス特性による発光輝度変化量を補償した振幅の駆動電圧を印加する。従って、補正時の発光量は一定に保たれる。
【００２３】
また、図３は、本実施形態における映像信号処理装置１をパルス幅変調方式で階調制御を行う無機ＥＬパネルに用いた場合の駆動電圧波形を示す図である。図３において、無補正時の無機ＥＬ素子に印加される無補正時駆動電圧、補正時の無機ＥＬ素子に印加される補正時駆動電圧、無補正時の無機ＥＬ素子から出力される無補正時発光量、補正時の無機ＥＬ素子から出力される補正時発光量がそれぞれ示されている。
【００２４】
図３によると、無補正時の駆動電圧は、安定した発光量を得たい期間において、１フレーム前のフレーム映像信号ＰＳＣ−１に拘わらず、一定のパルス幅で印加される。しかし、残留電荷の影響のため、無補正時の発光量にはばらつきがあり、一定ではない。
【００２５】
一方、本実施形態における映像信号処理装置１を用いて現在のフレーム映像信号を補正した場合は、安定した発光量を得たい期間において、１フレーム前のフレーム映像信号ＰＳＣ−１に応じてヒステリシス特性による発光輝度変化量を補償したパルス幅の駆動電圧を印加する。図３において、補正時の発光量にはばらつきがあるが、それに対応して発光期間が調整されるため、全体としての発光量は一定である。換言すると、発光量が少ない場合には発光期間が長くなるよう調整し、発光量が多い場合には発光期間が短くなるよう調整することにより、時間と光量の積を一定に保つことで、全体としての階調を一定に保つ。
【００２６】
以上のように、本実施形態に係る映像信号処理装置１によれば、１フレーム前のフレーム映像信号ＰＳＣ−１を用いて、現在のフレーム映像信号ＰＳＣに対して、１フレーム前のフレーム映像信号ＰＳＣ−１に応じたヒステリシス特性による発光輝度変化量を補償する。このことにより、初期化期間を設けることをしなくても最適な階調での表示を可能とする映像信号処理装置を実現できる。
【００２７】
＜＜実施形態２＞＞
図４は、本発明の実施形態２における映像信号処理装置１Ａの構成を示すブロック図である。本発明の実施形態２における映像信号処理装置１Ａは、図１に示した実施形態１に係る映像信号補正回路２に代えて映像信号補正回路２Ａを有する点において、図１に示した実施形態１に係る映像信号処理装置１とは異なる。それ以外の点においては、図１に示した実施形態１に係る映像信号処理装置１と同様であり、同一符号を付した構成要素についての重複した詳細な説明は省略する。
【００２８】
映像信号補正回路２Ａは、残留電荷補償量演算回路３及び残留電荷補償回路４を有する。残留電荷補償量演算回路３は、遅延回路５から入力された１フレーム前のフレーム映像信号ＰＳＣ−１を入力し、入力した１フレーム前のフレーム映像信号ＰＳＣ−１に応じたヒステリシス特性による補償すべき発光輝度変化量を演算し、演算した発光輝度変化量に対応する補償信号ＣＳを出力する。残留電荷補償回路４は、現在のフレーム映像信号ＰＳＣと残留電荷補償量演算回路３からの補償信号ＣＳとを入力し、現在のフレーム映像信号ＰＳＣに対して、補償信号ＣＳに対応する発光輝度変化量を補償して、出力映像信号ＰＳＯＵＴを生成して出力する。従って、映像信号補正回路２Ａは、１フレーム前のフレーム映像信号ＰＳＣ−１に依存して蓄積された残留電荷の影響を低減できる。
【００２９】
なお、映像信号補正回路２Ａの動作については、実施形態１において、図２及び図３を参照して既に説明した映像信号補正回路２の動作と同様であるのでその説明を援用し、ここでは重複した説明を省略する。
【００３０】
以上のように、本実施形態に係る映像信号処理装置１Ａによれば、１フレーム前のフレーム映像信号ＰＳＣ−１を用いて、現在のフレーム映像信号ＰＳＣに対して、１フレーム前のフレーム映像信号ＰＳＣ−１に応じたヒステリシス特性による発光輝度変化量を補償する。このことにより、初期化期間を設けることをしなくても最適な階調での表示を可能とする映像信号処理装置を実現できる。
【００３１】
＜＜実施形態３＞＞
図５は、本発明の実施形態３における映像信号処理装置１Ｂの構成を示すブロック図である。本発明の実施形態３における映像信号処理装置１Ｂは、図１に示した実施形態１に係る映像信号補正回路２に代えて映像信号補正回路２Ｂを有する点、及び遅延回路５に代えて遅延回路５Ａを有する点において、図１に示した実施形態１に係る映像信号処理装置１とは異なる。それ以外の点においては、図１に示した実施形態１に係る映像信号処理装置１と同様であり、同一符号を付した構成要素についての重複した詳細な説明は省略する。
【００３２】
遅延回路５Ａは、入力した信号を所定時間経過後及び所定時間経過後からさらに所定時間経過後に出力する。即ち、遅延回路５Ａは、現在のフレーム映像信号ＰＳＣを入力して、それよりも１フレーム前のタイミングで入力されたフレーム映像信号である１フレーム前のフレーム映像信号ＰＳＣ−１、及びさらに１フレーム前のタイミングで入力されたフレーム映像信号である２フレーム前のフレーム映像信号ＰＳＣ−２を出力する。なお、遅延回路５Ａの出力は電圧のみならず電流であっても良い。
【００３３】
映像信号補正回路２Ｂは、現在のフレーム映像信号ＰＳＣと遅延回路５Ａから出力される１フレーム前のフレーム映像信号ＰＳＣ−１及び２フレーム前のフレーム映像信号ＰＳＣ−２を入力し、現在のフレーム映像信号ＰＳＣに対して、その１フレーム前のフレーム映像信号ＰＳＣ−１及び２フレーム前のフレーム映像信号ＰＳＣ−２に応じたヒステリシス特性による発光輝度変化量を補償する映像信号補正を行って、出力映像信号ＰＳＯＵＴを生成して出力する。映像信号補正回路２Ｂは、上記映像信号補正によって、１フレーム前のフレーム映像信号ＰＳＣ−１及び２フレーム前のフレーム映像信号ＰＳＣ−２に依存して蓄積された残留電荷による影響による発行輝度変化量を補償する。従って、１フレーム前のフレーム映像信号ＰＳＣ−１及び２フレーム前のフレーム映像信号ＰＳＣ−２に依存して蓄積された残留電荷の影響を低減できる。
【００３４】
図７〜図１２は、本実施形態における映像信号処理装置を用いた場合の、２フレーム前のフレーム映像信号ＰＳＣ−２と１フレーム前のフレーム映像信号ＰＳＣ−１と現在のフレーム映像信号ＰＳＣとの変化の各組み合わせを示す図である。なお、図７〜図１２では、駆動電圧の振幅を変化させるよう制御することによって光量を一定に保つ場合について示している。他の例として、駆動電圧の振幅に代えて、駆動電圧のパルス幅を変化させるよう制御することによって光量を一定に保つ場合においても同様である。
【００３５】
図７に示す組み合わせの場合、２フレーム前のフレーム映像信号ＰＳＣ−２による振幅に対して１フレーム前のフレーム映像信号ＰＳＣ−１の駆動電圧の振幅が増加し、現在のフレーム映像信号ＰＳＣの駆動電圧の振幅は１つ前のフレームＰＳＣ−１の駆動電圧の振幅と同等である。この場合、映像信号処理装置１Ｂは、現在のフレーム映像信号ＰＳＣに対して、発光輝度を減少させるように、補償すべき発光輝度変化量を決定する。
【００３６】
図８に示す組み合わせの場合、２フレーム前のフレーム映像信号ＰＳＣ−２の駆動電圧の振幅に対して１フレーム前のフレーム映像信号ＰＳＣ−１の駆動電圧の振幅が減少し、現在のフレーム映像信号ＰＳＣの駆動電圧の振幅は１フレーム前のフレーム映像信号ＰＳＣ−１の駆動電圧の振幅と同等である。この場合、映像信号処理装置１Ｂは、発光輝度を増加させるように、補償すべき発光輝度変化量を決定する。
【００３７】
図９に示す組み合わせの場合、１フレーム前のフレーム映像信号ＰＳＣ−１の駆動電圧の振幅が２フレーム前のフレーム映像信号ＰＳＣ−２の駆動電圧の振幅と同等で、１フレーム前のフレーム映像信号ＰＳＣ−１の駆動電圧の振幅に対して現在のフレーム映像信号ＰＳＣの駆動電圧の振幅が増加する。この場合、映像信号処理装置１Ｂは、発光輝度を増加させるように、補償すべき発光輝度変化量を決定する。
【００３８】
図１０に示す組み合わせの場合、１フレーム前のフレーム映像信号ＰＳＣ−１の駆動電圧の振幅が２フレーム前のフレーム映像信号ＰＳＣ−２による振幅と同等で、１フレーム前のフレーム映像信号ＰＳＣ−１の駆動電圧の振幅に対して現在のフレーム映像信号ＰＳＣの駆動電圧の振幅が減少する。この場合、映像信号処理装置１Ｂは、発光輝度を減少させるように、補償すべき発光輝度変化量を決定する。
【００３９】
図１１に示す組み合わせの場合、２フレーム前のフレーム映像信号ＰＳＣ−２の駆動電圧の振幅に対して１フレーム前のフレーム映像信号ＰＳＣ−１の駆動電圧の振幅が増加し、１フレーム前のフレーム映像信号ＰＳＣ−１の駆動電圧の振幅に対して現在のフレーム映像信号ＰＳＣの駆動電圧の振幅が減少する。この場合、映像信号処理装置１Ｂは、発光輝度を減少させるように、補償すべき発光輝度変化量を決定する。
【００４０】
図１２に示す組み合わせの場合、２フレーム前のフレーム映像信号ＰＳＣ−２の駆動電圧の振幅に対して１フレーム前のフレーム映像信号ＰＳＣ−１の駆動電圧の振幅が減少し、１フレーム前のフレーム映像信号ＰＳＣ−１の駆動電圧の振幅に対して現在のフレーム映像信号ＰＳＣの駆動電圧の振幅が増加する。この場合、映像信号処理装置１Ｂは、発光輝度を増加させるように、補償すべき発光輝度変化量を決定する。
【００４１】
なお、２フレーム前のフレーム映像信号ＰＳＣ−２の駆動電圧の振幅に対して１フレーム前のフレーム映像信号ＰＳＣ−１の駆動電圧の振幅が減少し、さらに１フレーム前のフレーム映像信号ＰＳＣ−１の駆動電圧の振幅に対して現在のフレーム映像信号ＰＳＣの駆動電圧の振幅が減少する場合、あるいは、２フレーム前のフレーム映像信号ＰＳＣ−２の駆動電圧の振幅に対して１フレーム前のフレーム映像信号ＰＳＣ−１の駆動電圧の振幅が増加し、さらに１フレーム前のフレーム映像信号ＰＳＣ−１の駆動電圧の振幅に対して現在のフレーム映像信号ＰＳＣの駆動電圧の振幅が増加する場合は、２フレーム前のフレーム映像信号ＰＳＣ−２と１フレーム前のフレーム映像信号ＰＳＣ−１と現在のフレーム映像信号ＰＳＣの定量的値に応じて、発光輝度を増加あるいは減少させるように補償すべき発光輝度変化量を決定する。
【００４２】
また、２フレーム前のフレーム映像信号ＰＳＣ−２と１フレーム前のフレーム映像信号ＰＳＣ−１と現在のフレーム映像信号ＰＳＣとがともに同等である場合は、発光輝度変化量を補償する必要が無いために補正前の振幅又はパルス幅と補正後の振幅又はパルス幅とは等しくなる。
【００４３】
以上のように、本実施形態に係る映像信号処理装置１Ｂによれば、１フレーム前のフレーム映像信号ＰＳＣ−１と２フレーム前のフレーム映像信号ＰＳＣ−２とを用いて、現在のフレーム映像信号ＰＳＣに対して、１フレーム前のフレーム映像信号ＰＳＣ−１と２フレーム前のフレーム映像信号ＰＳＣ−２とに応じたヒステリシス特性による発光輝度変化量を補償する。このことにより、初期化期間を設けることをしなくても最適な階調での表示を可能とする映像信号処理装置を実現できる。
【００４４】
＜＜実施形態４＞＞
図６は、本発明の実施形態４における映像信号処理装置１Ｃの構成を示すブロック図である。本発明の実施形態４における映像信号処理装置１Ｃは、図５に示した実施形態３に係る映像信号補正回路２Ｂに代えて映像信号補正回路２Ｃを有する点において、図５に示した実施形態３に係る映像信号処理装置１Ｂとは異なる。それ以外の点においては、図５に示した実施形態３に係る映像信号処理装置１Ｂと同様であり、同一符号を付した構成要素についての重複した詳細な説明は省略する。
【００４５】
映像信号補正回路２Ｃは、残留電荷補償量演算回路３Ａ及び残留電荷補償回路４を有する。残留電荷補償量演算回路３Ａは、遅延回路５Ａから入力された１フレーム前のフレーム映像信号ＰＳＣ−１及び２フレーム前のフレーム映像信号ＰＳＣ−２を入力し、入力した１フレーム前のフレーム映像信号ＰＳＣ−１及び２フレーム前のフレーム映像信号ＰＳＣ−２に応じたヒステリシス特性による補償すべき発光輝度変化量を演算し、演算した発光輝度変化量に対応する補償信号ＣＳを出力する。残留電荷補償回路４は、現在のフレーム映像信号ＰＳＣと残留電荷補償量演算回路３からの補償信号ＣＳとを入力し、現在のフレーム映像信号ＰＳＣに対して、補償信号ＣＳに対応する発光輝度変化量を補償して、出力映像信号ＰＳＯＵＴを生成して出力する。従って、映像信号補正回路２Ｃは、１フレーム前のフレーム映像信号ＰＳＣ−１及び２フレーム前のフレーム映像信号ＰＳＣ−２に依存して蓄積された残留電荷の影響を低減できる。
【００４６】
２フレーム前のフレーム映像信号ＰＳＣ−２と１フレーム前のフレーム映像信号ＰＳＣ−１と現在のフレーム映像信号ＰＳＣとの変化の組み合わせ毎の映像信号補正回路２Ｃの動作については、実施形態３において、図７〜図１２を参照して既に説明した映像信号補正回路２Ｂの動作と同様であるのでその説明を援用し、ここでは重複した説明を省略する。
【００４７】
以上のように、本実施形態に係る映像信号処理装置１Ｃによれば、１フレーム前のフレーム映像信号ＰＳＣ−１及び２フレーム前のフレーム映像信号ＰＳＣ−２を用いて、現在のフレーム映像信号ＰＳＣに対して、１フレーム前のフレーム映像信号ＰＳＣ−１と２フレーム前のフレーム映像信号ＰＳＣ−２とに応じたヒステリシス特性による発光輝度変化量を補償する。このことにより、初期化期間を設けることをしなくても最適な階調での表示を可能とする映像信号処理装置を実現できる。
【産業上の利用可能性】
【００４８】
本発明に係る無機ＥＬパネル用映像信号処理装置は、例えば、薄膜の無機ＥＬディスプレイ等に用いる無機ＥＬパネルに利用することができる。
【図面の簡単な説明】
【００４９】
【図１】本発明の実施形態１に係る映像信号処理装置の構成を示すブロック図である。
【図２】本発明の実施形態１及び２における映像信号処理装置をパルス電圧振幅波形制御方式で階調制御を行う無機ＥＬパネルに用いた場合の駆動電圧波形を示す図である。
【図３】本発明の実施形態１及び２における映像信号処理装置をパルス幅変調方式で階調制御を行う無機ＥＬパネルに用いた場合の駆動電圧波形を示す図である。
【図４】本発明の実施形態２に係る映像信号処理装置の構成を示すブロック図である。
【図５】本発明の実施形態３に係る映像信号処理装置の構成を示すブロック図である。
【図６】本発明の実施形態４に係る映像信号処理装置の構成を示すブロック図である。
【図７】本発明の実施形態３及び４に係る映像信号処理装置を用いた場合の、２フレーム前のフレーム映像信号と１フレーム前のフレーム映像信号と現在のフレーム映像信号の変化の組み合わせの１つを示す図である。
【図８】本発明の実施形態３及び４に係る映像信号処理装置を用いた場合の、２フレーム前のフレーム映像信号と１フレーム前のフレーム映像信号と現在のフレーム映像信号の変化の組み合わせの１つを示す図である。
【図９】本発明の実施形態３及び４に係る映像信号処理装置を用いた場合の、２フレーム前のフレーム映像信号と１フレーム前のフレーム映像信号と現在のフレーム映像信号の変化の組み合わせの１つを示す図である。
【図１０】本発明の実施形態３及び４に係る映像信号処理装置を用いた場合の、２フレーム前のフレーム映像信号と１フレーム前のフレーム映像信号と現在のフレーム映像信号の変化の組み合わせの１つを示す図である。
【図１１】本発明の実施形態３及び４に係る映像信号処理装置を用いた場合の、２フレーム前のフレーム映像信号と１フレーム前のフレーム映像信号と現在のフレーム映像信号の変化の組み合わせの１つを示す図である。
【図１２】本発明の実施形態３及び４に係る映像信号処理装置を用いた場合の、２フレーム前のフレーム映像信号と１フレーム前のフレーム映像信号と現在のフレーム映像信号の変化の組み合わせの１つを示す図である。
【符号の説明】
【００５０】
１，１Ａ，１Ｂ，１Ｃ…映像信号処理装置、
２，２Ａ，２Ｂ，２Ｃ…映像信号補正回路、
３，３Ａ…残留電荷補償量演算回路、
４…残留電荷補償回路、
５，５Ａ…遅延回路、
ＣＳ…補償信号、
ＰＳＣ…現在のフレーム映像信号、
ＰＳＣ−１…１フレーム前のフレーム映像信号、
ＰＳＣ−２…２フレーム前のフレーム映像信号、
ＰＳＯＵＴ…出力映像信号。
【図１】
2007212829.tif 000003
【図２】
2007212829.tif 000004
【図３】
2007212829.tif 000005
【図４】
2007212829.tif 000006
【図５】
2007212829.tif 000007
【図６】
2007212829.tif 000008
【図７】
2007212829.tif 000009
【図８】
2007212829.tif 000010
【図９】
2007212829.tif 000011
【図１０】
2007212829.tif 000012
【図１１】
2007212829.tif 000013
【図１２】
2007212829.tif 000014